(57)【要約】【課題】  炊飯器の蓋体に取り付ける放熱板を小さな力で容易に着脱することができる放熱板取付け構造を提供する。【解決手段】  炊飯器１の蓋体３にばね付勢して可動に取り付けた係止フック１４で、放熱板５に設けた係止突起１６を係止することで、放熱板５を蓋体３に取り付ける構造であって、係止フック１４が、放熱板５の面に対して傾斜した方向に可動である放熱板取付け構造。【選択図】図３
2005211315.tif 000002
【特許請求の範囲】
【請求項１】
炊飯器の蓋体にばね付勢して可動に取り付けた係止フックで、放熱板に設けた係止突起を係止することで、前記放熱板を前記蓋体に取り付ける構造であって、
前記係止フックが、前記放熱板の面に対して傾斜した方向に可動であることを特徴とする放熱板取付け構造。
【請求項２】
前記係止フックは、前記蓋体に設けた長孔に挿入するピンを有し、
前記長孔は、前記放熱板の面に対して傾斜していることを特徴とする請求項１に記載の放熱板取付け構造。
【請求項３】
前記係止フックは、該可動フックの可動方向に平行な摺動面を有し、
前記摺動面は、前記蓋体に設けた摺接部に摺接していることを特徴とする請求項１または２に記載の放熱板取付け構造。
【請求項４】
前記係止フックは、該可動フックの可動方向の前記蓋体に設けた差込孔に挿入した差込部を有することを特徴とする請求項１から３のいずれかに記載の放熱板取付け構造。
【請求項５】
前記差込部は、前記係止フックの可動方向と平行に延伸する部分であることを特徴とする請求項４に記載の放熱板取付け構造。
【請求項６】
前記放熱板は、一端に設けた１以上の嵌合差込部を前記蓋体に設けた嵌合受部に嵌合し、他端を１以上の前記係止フックで係止することで前記蓋体に取り付けることを特徴とする請求項１から５のいずれかに記載の放熱板取付け構造。
【発明の詳細な説明】
【技術分野】
【０００１】
本発明は、炊飯器の放熱板取付け構造に関する。
【背景技術】
【０００２】
炊飯器の蓋体は、本体内に設置される鍋の開口縁の内周に密接して前記鍋の開口を封止するパッキンを取り付けた放熱板を有している。このような放熱板は洗浄のために簡単に着脱できるように取り付けられていることが好ましいが、蓋体の開閉時の衝撃などで落脱しないように確実に取り付けられる必要がある。
【０００３】
図６に、従来の放熱板の取付け構造を示す。炊飯器の蓋体３１には、鍋３２に密接するパッキン３３が外枠となるリング３４に取り付けられた放熱板３５を有している。放熱板３５は、リング３４の端部から放熱板３５の面と平行に外側に突出し、さらに蓋体３１と反対の方向に垂直に折れ曲がった係止レバー３６を有しており、係止レバー３６の外側の側面には係止突起３７が設けられている。蓋体３１には、係止レバー３６と対向するように係止フック３８が取り付けられている。係止フック３８は、係止レバー３６に対向する板状の基部３９に係止突起３７を係止する係止部４０を有している。係止部４０は係止突起３７と当接して係止レバー３６を係止する係止面４１と、係止レバー３６に対して傾斜している傾斜面４２とからなる山形の凸部である。また、係止フック３８は、基部３９の蓋体３１側の端部に設けたピン４３を蓋体３１に設けられた長穴４４に挿入することで、長穴４４に沿って可動に、蓋体３１に取り付けられている。また、係止フック３８は、基部３９のピン４３と反対の端部に、係止レバー３６と反対方向に長孔４４と平行に伸びる差込部４５を有し、差込部４５を蓋体３１に設けた差込孔４６に差し込んでいる。さらに、係止フック３８は、基部３９の係止レバー３６と反対側の面にばね座４７が設けられ、バネ座４７に取り付けたばね４８によって係止レバー３６に向かって付勢されている。
【０００４】
放熱板３５を蓋体３１に取り付けるときは、係止レバー３６の係止突起３７を係止フック３８の係止部４０の傾斜面４２に押し当てて、放熱板３５を放熱板３５の面に垂直な方向に押し込むと、係止突起３７が係止フック３８の傾斜面４２を押し、その力の向きが傾斜面４２の角度に変わり、係止フック３８が、長孔４４および差込部４５に沿って係止レバー３６から遠ざかるように押し退けられる。放熱板３５は、係止突起３７が傾斜面４２を滑るようにして係止部４０を乗り越えて係止面４１の側まで押し込まれる。すると係止フック３８は、ばね４８によって係止レバー３６の側に押し出され、係止面４１に係止突起３７が接した状態で、係止突起３７を係止する。このようにして、放熱板３５は、蓋体３１に取り付けられる。
【０００５】
放熱板３５を蓋体３１から取り外す際には、係止レバー３６を放熱板３５の中心方向に押しながら垂直方向に引っ張ることで、係止レバー３６を撓ませて係止突起３７を係止フック３８から遠ざけながら、係止フック３７の係止面４１を押して、該係止面４１の傾斜によって係止フック３８を長孔４４および差込部４５に沿って後退させる。このようにして、係止レバー３６の係止突起３７を係止フック３８の係止部４０から解放して放熱板３４を取り外すことができる。
【０００６】
しかしながら、このような放熱板取付け構造では、放熱板３５を取り外すときに、係止フック３８の係止面４１を押す方向と係止フック３８を後退させるべき方向が垂直であるため、係止フック３８の係止面４１の傾斜によってのみ係止フック３８を後退させる力を生じさせなければならない。このため、係止フック３８を後退させて放熱板３５を蓋体３１から取り外すには、かなり強い力で係止レバー３６を引っ張らなければならないという問題があった。
【０００７】
特許文献１には、係止フックを軸周りに回動可能に枢支した構造が開示されているが、放熱板を取り外す際に係止フックを後退させる方向が放熱板と平行な方向であり、依然として、係止レバーを強い力で引っ張らなければ放熱板が取り外せないという問題がある。
【特許文献１】特開２００３−２０４８６９号公報
【発明の開示】
【発明が解決しようとする課題】
【０００８】
そこで、本発明は、炊飯器の蓋体に取り付ける放熱板を小さな力で容易に着脱することができる放熱板取付け構造を提供することを課題とする。
【課題を解決するための手段】
【０００９】
本発明によれば炊飯器の蓋体にばね付勢して可動に取り付けた係止フックで、放熱板に設けた係止突起を係止することで、前記放熱板を前記蓋体に取り付ける構造であって、前記係止フックが、前記放熱板の面に対して傾斜した方向に可動であるものである。
【００１０】
この構造によれば、放熱板を取り外す際に、前記係止突起を前記係止フックから解放するために加える力が、前記係止フックを移動させる方向の成分を含むため、小さな力によって前記係止フックを移動させることができ、係止突起を係止フックから容易に解放して放熱板を簡単に取り外すことができる。
【００１１】
また、本発明による放熱板取付け構造において、前記係止フックは、前記蓋体に設けた長孔に挿入するピンを有し、前記長孔は、前記放熱板の面に対して傾斜しているものとしてもよい。
【００１２】
この構造によれば、前記係止フックを前記放熱板の面に対して傾斜した方向に可動に取り付けることができる。これによって、簡単な構造で小さな力により放熱板を取り外すことができる放熱板取付け構造を実現できる。
【００１３】
また、本発明による放熱板取付け構造において、前記係止フックは、該係止フックの可動方向に平行な摺動面を有し、前記摺動面は、前記蓋体に設けた摺接部に摺接しているものとしてもよい。
【００１４】
この構造によれば、前記係止フックは、前記放熱板に対して傾斜した前記摺動面に沿って摺動するので、簡単な構造で小さな力によって放熱板を取り外すことができる。
【００１５】
また、本発明による放熱板取付け構造において、前記係止フックは、該可動フックの可動方向の前記蓋体に設けた差込孔に挿入した差込部を有してもよい。
【００１６】
この構造によれば、前記係止フックの端部が蓋体の内部に収納されるので該端部が視認されず、前記係止フックの斜め方向の移動によって、該係止フックの端部が蓋体から浮き上がった状態にならないので、美観に優れる。
【００１７】
また、本発明による放熱板取付け構造において、前記差込部は、前記係止フックの可動方向と平行に延伸する部分であってもよい。
【００１８】
この構造によれば、前記差込孔において前記差込部が挿通する垂直位置が移動しないので、前記差込孔を前記差込部密着させ隙間を作らないようにできる。これによって、蓋体の内部に異物が入り込むおそれがない。
【００１９】
また、本発明による放熱板取付け構造において、前記放熱板は、一端に設けた１以上の嵌合差込部を前記蓋体に設けた嵌合受部に嵌合し、他端を１以上の前記係止フックで係止することで前記蓋体に取り付けるものとしてもよい。
【００２０】
この構造によれば、放熱板の一端を嵌合構造としたので、他端を少数の係止フックにより前記放熱板を係止できる。これによって、放熱板の一方の端部のみを操作することで該放熱板を取り外すことができ、操作性がよい。また、部品点数が少なく、製造コストも小さい。
【発明の効果】
【００２１】
以上のように、本発明によれば、炊飯器の蓋体に取り付ける放熱板を小さな力で容易に着脱することができる安価な放熱板取付け構造を提供できる。
【発明を実施するための最良の形態】
【００２２】
図１は、本発明の第１実施形態である放熱板取付け構造を有する炊飯器１を示す。炊飯器１は、有底筒状の本体２と、本体２の上部の開口を閉塞する蓋体３とからなり、本体２の内部には調理を行うための鍋４が設置されている。蓋体３は、内面に放熱板５が取り付けられており、放熱板５の外周縁にはパッキン６が設けられている。放熱板５は、パッキン６が鍋４の開口縁の内周面と密接することで、鍋４の上部の開口を閉塞するようになっている。また、蓋体３は、ヒンジピン７によって、本体２に設けられた水平方向に長いヒンジ孔８に枢支されている。ヒンジ孔８は、蓋体３を閉塞するときに、特に加圧調理を行う炊飯器において顕著であるが、先にパッキン６の一部だけが鍋４に接触して、蓋体３が閉まりにくくなるのを防止するために、蓋体３の動きに余裕を持たせ、また、完全に閉塞するときには、それぞれの円錐形状によって自ら中心を合わせられるようにしたものである。
【００２３】
図２に示すように、放熱板５は、外枠となるリング９に環状のパッキン６とともに取り付けられた円形の金属板である。リング９は一端に張り出した２つの嵌合差込部１０と、多端に放熱板５の径方向外側に張り出した２つの係止レバー１１とが設けられている。この放熱板５は、蓋体３の内面を構成する蓋内壁１２に設けられたくぼみに取り付けられる。放熱板５の嵌合差込部１０は、蓋内壁１２に設けた嵌合受部１３に差し込むとで固定され、係止レバー１１は、蓋内壁１２に設けた係止フック１４に係止されることで固定されている。
【００２４】
図３および４は、係止レバー１１および係止フック１４の詳細を示す。係止レバー１１は、放熱板５の外周に取り付けたリング９から放熱板５と平行な方向に突出し、蓋内壁１２と反対側に放熱板５の面に垂直な垂直部１５を有するようにＬ字型に折れ曲っている。垂直部１５は、放熱板５と反対側の面に、根元から突出した係止突起１６と、先端から突出した指掛部１７とを有している。また、係止フック１４は、係止レバー１１の垂直部１５と対向する板状の基部１８の上端にピン１９を有し、該ピン１９を蓋内壁１２に設けた長孔２０に挿入して、蓋内壁１２のくぼみの一部に取り付けられている。長孔２０は、一端が放熱板５に近い位置にあり、多端が、一端よりも放熱板５から離れかつ蓋内壁１２から離れた位置にあり、これにより、放熱板５の面に対して傾斜するように形成されている。また、係止フック１４は、基部１８の放熱板５から遠い面にばね座２１を有しており、ばね座２１と蓋内壁１２との間にばね２２を取り付けることで、放熱板５の面と平行な方向に付勢されている。また、係止フック１４は、基部１８の下端から放熱板５と反対の方向に伸びる張出部２３を有しており、張出部２３は、長孔２０と等しい角度で傾斜し、蓋内壁１２に設けた摺接部２３に摺接する摺動面２５を有している。さらに、係止フック１４は、基部１８の係止レバー１１に対向する面に放熱板５の係止レバー１１の係止突起１６を係止する係止部２６を有しており、係止部２６は、係止突起１６を係止する係止面２７と傾斜面２８とからなっている。
【００２５】
次に、前記構成からなる炊飯器１の蓋体３の放熱板５の取付けおよび取外し時の動作について説明する。放熱板４を蓋体３に取り付けるときは、係止レバー１１の係止突起１６が係止フック１４の傾斜面２８に当接するようにして、放熱板５の面と垂直な方向に押し込まれる。係止突起１６は、傾斜面２８の傾斜が力の向きを変えるので、係止フック１４を横方向に押し退ける。係止フック１４は、ピン１９が蓋内壁１２の長孔２０に沿って移動、および、摺動面２５が摺接部２４を摺動して斜めに移動させられる。こうして、図３に示すように係止レバー１１の係止突起１６は、係止フック１４の傾斜面２８を滑り上がり、係止部２１の係止面２７の側に入り込んで係止される。
【００２６】
この放熱板４を蓋体３から取外すときには、係止レバー１１の指掛部１７を放熱板５の方向に水平に押しながら垂直方向に引き出す。係止レバー１１は、放熱板５の中心方向に水平に押されると係止フック１４から逃げるように撓むので係止突起１６が係止フック１４の係止部２６から外れやすくなる。また係止レバー１１を垂直方向に引き出す力は、係止フック１４の係止部２６の係止面２７を押す。すると、図４に示すように、係止フック１４は、ピン１９が蓋内壁１２の長孔２０に沿って移動、および、摺動面２５が摺接部２４を摺動して放熱板５の面に対して斜めに移動させられ、係止レバー１１の係止突起１６を開放する。このとき、係止レバー１１を移動させようと加える力が係止フック１４の移動方向の成分を含んでいるため、係止フック１４を小さな力で移動させることができる。このため、放熱板５は、小さな力で取り外すことができる。
【００２７】
次に、図５に、本発明の第２実施形態の放熱板取付け構造を示す。この放熱板取付け構造において、第１実施形態と等しい部分には、同じ符号を付して説明を省略する。本実施形態の係止フック１４は、張出部２３の端部が蓋内壁１２の長孔２０と同様に傾斜して延伸する差込部２９となっており、この差込部２９は蓋内壁１２に設けられた差込孔３０に挿入されている。この実施形態において、放熱板５を着脱するとき、係止フック１４は、長孔２０の傾斜に沿って放熱板５の面に対して斜めに移動するので、垂直方向にも上下することになるが、係止フック１４の下端である差込部２４が、長孔２０の傾斜と同じ傾斜を有しているので差込孔３０を貫通する部分の高さが変化せず、差込孔３０に余分な隙間を生じない。このため、蓋体３の内部に異物が侵入することを防止できる。また、差込部２９の先端が蓋内壁１２の裏側に収納されているので外部から視認されず、上下動の不自然さを感じさせず、美観に優れる。
【００２８】
以上のように、本発明による放熱板取り付け構造は、簡単な構造であり、炊飯器の製造コストを上昇させることがない。また、本発明によれば、放熱板を小さな力で容易に着脱することができる。
【図面の簡単な説明】
【００２９】
【図１】本発明の第１実施形態の放熱板取付け構造を有する炊飯器の側面図。
【図２】図１の炊飯器の蓋の底面図。
【図３】図１の炊飯器の蓋の部分断面図。
【図４】図１の炊飯器の蓋の部分断面図。
【図５】本発明の第２実施形態の放熱板取付け構造を有する蓋の部分断面図。
【図６】従来の放熱板取付け構造を有する蓋の部分断面図。
【符号の説明】
【００３０】
１  炊飯器
２  本体
３  蓋体
５  放熱板
１０  嵌合差込部
１３  嵌合受け部
１４  係止フック
１６  係止突起
１９  ピン
２０  長孔
２２  ばね
２５  摺動面
２４  摺接部
２９  差込部
３０  差込孔
【図１】
2005211315.tif 000003
【図２】
2005211315.tif 000004
【図３】
2005211315.tif 000005
【図４】
2005211315.tif 000006
【図５】
2005211315.tif 000007
【図６】
2005211315.tif 000008